(57)【要約】【課題】流体噴射式織機の固定式緯入れノズルと筬の間に配置される緯糸保持装置において、二本の緯糸の保持構造を従来よりも単純化すること。また、緯糸を三本以上別々に保持できること。【解決手段】板部材７の上又は下に押圧盤１０を有し、板部材７と押圧盤１０との間に挟持領域１１を形成し、固定式緯入れノズル１から織前側に連なる緯糸端部を、板部材７と押圧盤１０との間に導入して挟持する緯糸保持装置３において、板部材７と押圧盤１０との間に中間部材９を一枚以上積み重ねる状態で介在し、板部材７、中間部材９及び押圧盤１０の互いに隣接する部材間で挟持領域１１をそれぞれ形成することを特徴とする緯糸保持装置。【選択図】      図１
2004176217.tif 000002
【特許請求の範囲】
【請求項１】
板部材（７）の上又は下に押圧盤（１０）を有し、固定式緯入れノズル（１）から織前側に連なる緯糸端部を、板部材（７）と押圧盤（１０）との間に導入して挟持する緯糸保持装置（３）において、
板部材（７）と押圧盤（１０）との間に中間部材（９）を一枚以上積み重ねる状態で介在し、板部材（７）、中間部材（９）及び押圧盤（１０）の互いに隣接する部材間で挟持領域（１１）をそれぞれ形成することを特徴とする緯糸保持装置。
【請求項２】
板部材（７）の上下に押圧盤（１０）を有し、固定式緯入れノズル（１）から織前側に連なる緯糸端部を、板部材（７）と押圧盤（１０）との間に導入して挟持する緯糸保持装置（３）において、
板部材（７）と少なくとも一方の押圧盤（１０）との間に、中間部材（９）を一枚以上積み重ねる状態で介在し、板部材（７）、中間部材（９）及び押圧盤（１０）の互いに隣接する部材間で挟持領域（１１）をそれぞれ形成することを特徴とする緯糸保持装置。
【請求項３】
板部材（７）と押圧盤（１０）との間に、複数枚の中間部材（９）を積み重ねる状態で介在し、中間部材（９）同士の間にも挟持領域（１１）を形成することを特徴とする請求項１又は２記載の緯糸保持装置。
【請求項４】
板部材（７）に直交する方向から視た条件下で、全ての挟持領域（１１）のうち少なくとも二つの挟持領域（１１）を異ならせ、
その異ならせる態様は、経糸方向に並列する固定式緯入れノズル（１）のうちいずれかの少なくとも一つから連なる緯糸端部が各挟持領域（１１）を通過する長さに差を設ける態様であることを特徴とする請求項１、２又は３記載の緯糸保持装置。
【請求項５】
緯糸（８）を中間部材（９）の上下に分けて案内するガイド板（１３）を、中間部材（９）の周囲に且つ板部材（７）から離して設けることを特徴とする請求項１、２、３又は４記載の緯糸保持装置。
【請求項６】
中間部材（９）は、リング状をなし、その外周面を「く」字状に外側に張り出す形状にすることを特徴とする請求項５記載の緯糸保持装置。
【請求項７】
前記板部材（７）は２つの前記固定式緯入れノズル（１）から連なる各緯糸（８）を、板部材（７）の上又は下のいずれかに形成された各挟持領域（１１）のいずれか一方に導くことを特徴とする請求項２記載の緯糸保持装置。
【請求項８】
３つ以上の前記固定式緯入れノズル（１）から連なる各緯糸（８）を、前記板部材（７）と前記ガイド板（１３）とで共同して板部材（７）の上又は下のいずれかに形成された各挟持領域（１１）のいずれか一方に導くことを特徴とする請求項５記載の緯糸保持装置。
【発明の詳細な説明】
【０００１】
【発明の属する技術分野】
本発明は、流体噴射式織機の固定式緯入れノズルと筬の間に配置される緯糸保持装置に関する。
【０００２】
【従来の技術】
経糸方向に離れた二本の緯入れノズル（本発明の固定式緯入れノズルに相当する）からは、緯糸がそれぞれ緯入れされる。その緯糸は、筬打ち運動よって給糸側を緯糸保持装置で保持され、緯糸保持装置と筬の間部分を緯糸切断装置で切断される。切断された緯糸端部は次の緯入れ時まで緯糸保持装置で保持され、ノズルからの流体噴射によって保持が解除され、緯入れが行われる。緯糸保持装置としては、仕切板（本発明の板部材に相当する）の上下に円盤状部材（本発明の押圧盤に相当する）、コイルスプリング等を対称的に設け、板部材と各円盤状部材との間に緯糸を別々に保持するものが知られている（例えば、特許文献１参照。）。
【０００３】
【特許文献１】
特開２００１−１１５３６２号公報（第３頁、第１図から第４図）
【０００４】
【発明が解決しようとする課題】
ところが、仕切板の上下に円盤状部材やコイルスプリング等を対称的に設ける構造は複雑である。そこで、二本の緯糸の保持構造を従来よりも単純化する開発に本発明者は着手した。
【０００５】
また、仕切板の上下に円盤状部材を設ける構造は、緯糸を二本までしか別々に保持できない。従って、緯糸を三本以上別々に保持できる構造の開発にも着手した。
【０００６】
【課題を解決するための手段】
請求項１記載の発明は、板部材の上又は下に押圧盤を有し、固定式緯入れノズルから織前側に連なる緯糸端部を、板部材と押圧盤との間に導入して挟持する緯糸保持装置において、板部材と押圧盤との間に中間部材を一枚以上積み重ねる状態で介在し、板部材、中間部材及び押圧盤の互いに隣接する部材間で挟持領域をそれぞれ形成することを特徴とする。
【０００７】
請求項２記載の発明は、板部材の上下に押圧盤を有し、固定式緯入れノズルから織前側に連なる緯糸端部を、板部材と押圧盤との間に導入して挟持する緯糸保持装置において、板部材と少なくとも一方の押圧盤との間に、中間部材を一枚以上積み重ねる状態で介在し、板部材、中間部材及び押圧盤の互いに隣接する部材間で挟持領域をそれぞれ形成することを特徴とする。
【０００８】
請求項３記載の発明は、板部材と押圧盤との間に、複数枚の中間部材を積み重ねる状態で介在し、中間部材同士の間にも挟持領域を形成することを特徴とする。
【０００９】
請求項４記載の発明は、板部材に直交する方向から視た条件下で、全ての挟持領域のうち少なくとも二つの挟持領域を異ならせ、その異ならせる態様は、いずれかの固定式緯入れノズルから連なる緯糸端部が各挟持領域を通過する長さに差を設ける態様であることを特徴とする。
【００１０】
異ならせる態様の具体例としては、各挟持領域が、同心に配置されたリング状であって、各挟持領域の内径と外径の少なくとも一方が、他の挟持領域の対応する径と異なる態様が挙げられる。
【００１１】
請求項５記載の発明は、緯糸を中間部材の上下に分けて案内するガイド板を、中間部材の周囲に且つ板部材から離して設けることを特徴とする。
【００１２】
請求項６記載の発明は、中間部材は、リング状をなし、その外周面を「く」字状に外側に張り出す形状にすることを特徴とする。
【００１３】
請求項７記載の発明は、前記板部材は２つの前記固定式緯入れノズルから連なる各緯糸を、板部材の上又は下のいずれかに形成された各挟持領域のいずれか一方に導くことを特徴とする。
【００１４】
請求項８記載の発明は、３つ以上の前記固定式緯入れノズルから連なる各緯糸を、前記板部材と前記ガイド板とで共同して板部材の上又は下のいずれかに形成された各挟持領域のいずれか一方に導くことを特徴とする。
【００１５】
【発明の実施の形態】
流体噴射式織機、特にスレー上にはなく織機のフレームに固定される固定式緯入れノズルを備えた水噴射式織機において、図３に示すように、経糸方向に並列した複数の緯入れ用の緯入れノズル１と筬２との間に緯糸保持装置３を配置し、緯糸保持装置３と織前４との間には、緯糸切断装置としてのカッター５を配置してある。
【００１６】
本発明の緯糸保持装置の第一例は図１から図３に示すように、経糸方向に並列する緯入れノズル１の数が二本のものに使用する。その構造は、緯入れノズル１と経糸列６の間に板部材７を有し、緯糸８を挟持するために板部材７の上に他の部材と独立した単体の中間部材９、押圧盤１０を一枚ずつ順次積み重ねると共に、板部材７と中間部材９との間、及び中間部材９と押圧盤１０との間に挟持領域１１をそれぞれ形成する。また、押圧盤１０を板部材７に押し付ける付勢部材１２を板部材７に設けると共に、付勢部材１２の付勢力を調整可能に設け、付勢力を利用して各挟持領域１１に緯糸８を保持し、中間部材９の外側にはガイド板１３を、板部材７から離して設け、押圧盤１０の外側にも別のガイド板１４を、中間部材用のガイド板１３から離して設け、板部材７と各ガイド板１３，１４の相乗作用によって各挟持領域１１に緯糸８を導くものである。
【００１７】
板部材７は、中間部材９に対向する主片１５の経糸供給側に導入片１６を屈曲して連続し、主片１５の反経糸列側には、上向きに開口するコ字状の取付片１７を延長し、取付片１７をノズルブラケット１８を介して図示しない織機フレームに固定してある。
【００１８】
主片１５は、ほぼ水平に、より詳しくは経糸供給側に向かって僅かに下がる状態に傾斜してある。導入片１６は、経糸供給側に向かって下がる状態に傾斜してある。
【００１９】
中間部材９は、リング状の平板で、中心の挿入孔１９をざぐり状に形成し、挿入孔１９の下側の直径を広くすることによって、中間部材９の上下に形成する２つのドーナツ状の挟持領域１１，１１を、板部材７（より正確には主片１５）に直交する方向から視た条件下で一致させてある。また、中間部材９は、外周面を「く」字状に外側に張り出す形状にすることによって、中間部材９の上下の挟持領域１１に緯糸８が導入されやすくしてある。
【００２０】
中間部材用のガイド板１３は、板部材７の主片１５に向かい合う対向片２０の経糸供給側に案内片２１を斜め上向きに屈曲して連続し、遠い方の２つの緯入れノズルから緯入れされる緯糸８を、案内片２１で経糸方向に仕切っている。また、対向片２０に有する貫通穴２２には中間部材９を収容し、対向片２０の反経糸列側には連結片２３を下向きに屈曲して設け、連結片２３を板部材７の取付片１７に固定してある。
【００２１】
押圧盤１０は、中心に抜穴２４を有するリング状であって、リングの内周部及び外周部を板部材７から離れる方向に屈曲することによって、全体を凹面状に形成してある。また、板部材７から離れる方向に屈曲するリングの外周部を、テーパー状にすることによって、緯糸８を挟持領域１１に導きやすくしてある。
【００２２】
押圧盤用のガイド板１４は、中間部材用のガイド板１３と同様に、対向片２５の経糸供給側に、案内片２６を上方に屈曲して延長するもので、対向片２５の中央部には貫通穴２７をあけ、貫通穴２７に押圧盤１０の高さほぼ中間部を収容してある。また、対向片２５の反経糸列側には、下向きに屈曲する連結片２８を設け、連結片２８を取付片１７にネジ止めしてある。
【００２３】
付勢部材１２は、板部材７の主片１５に中心軸２９を、ネジ止め等で起立し、中心軸２９に中間部材９の挿入孔１９、押圧盤１０の抜穴２４、コイルスプリング３０を同心状に通し、中心軸２９の上部に形成した雄ネジ部３１にナット３２をねじ込んでコイルスプリング３０を収縮させ、コイルスプリング３０の復元力で押圧盤１０を板部材７の主片１５に押し付け、ナット３２のねじ込み量の調整により、緯糸８の保持力を調整可能としたものである。なお、コイルスプリング３０はナット側から押圧盤側に向かうにつれて径が広くなるものを用い、ナット３２の下側にはコイルスプリングの上端部に嵌り込む位置決めリング３３を雄ネジ部３１にねじこんである。
【００２４】
上述した第一例は、以下の要領で緯糸８を保持する。まず、織前４から近い方の緯入れノズル１から緯糸８は中間部材用ガイド板１３の上方を通過して緯入れされる。その後、緯糸８は、筬打ちによって押圧盤用のガイド板１４の案内片２６の裏面、二枚のガイド板１３，１４の間を順次移動し、押圧盤１０と中間部材９の間の挟持領域１１に導かれ、挟持される。この後、カッター５によって緯糸８が筬２と緯糸保持装置３の間で切断され、次の緯入れまで、緯糸保持装置３が緯糸端部を挟持する。一方、織前４に対して遠い方の緯入れノズル１から緯糸８は、中間部材用ガイド板１３の案内片２１よりも経糸供給側を通過して、緯入れされる。その後、緯糸８は、筬打ちによってその案内片２１の裏面、ガイド板１３と板部材７の間を順次移動し、中間部材９と板部材７の間の挟持領域１１に導かれ、挟持される。この後は、先に説明した場合と同様となる。
【００２５】
緯糸保持装置３の第二例は図４及び図５に示すように、経糸方向に並列する緯入れノズル１の数が二本のものに使用する。その構造は、板部材７に直交する方向から視た条件下で、上側の挟持領域１１の外径よりも下側の挟持領域１１の外径を大きくしてある。具体的には、中間部材９の平らな上下面の外径を同一に形成すると共に、押圧盤１０の平らな下面の外径を、中間部材９の平らな上下面の直径よりも小さくし、中間部材９の平らな下面全域を板部材７に接触させるものである。
【００２６】
このようにすれば、前記条件下では織前４に対して遠い方の緯入れノズル１から連なる緯糸端部は上側の挟持領域１１を通過する長さよりも下側の挟持領域１１を通過する長さの方が長くなる。従って、遠い方の緯入れノズル１から連なる緯糸端部を、下側の挟持領域１１を用いて挟持し、近い方の緯入れノズル１から連なる緯糸端部を、上側の挟持領域１１を用いて挟持すれば、第一例のように２つの挟持領域１１が一致するものを用いるよりも、遠い方の緯糸８の保持状態が安定する。
【００２７】
緯糸保持装置３の第三例は図６及び図７に示すように、板部材７の上下に押圧盤１０を配置すると共に、上下の押圧盤１０の中心位置を相対的に経糸供給方向にずらし、板部材７と下側の押圧盤１０の間に中間部材９を一枚介在し、上下の押圧盤１０と中間部材９の周囲にガイド板１３，１４をそれぞれ設け、付勢部材１２を板部材７の上下に設けたことを特徴とする。
【００２８】
下側の付勢部材１２は、上側の付勢部材１２を正反対にし、全体的に経糸供給方向にずらしたものである。従って、下側の中心軸２９の垂下位置が、上側の中心軸２９の起立位置よりも経糸供給方向にずれている。
【００２９】
また、板部材７の導入片１６、及び中間部材用ガイド板１３の案内片２１は、いずれも経糸供給方向に向かって上がる状態に傾斜してある。また、下側の押圧盤用ガイド板１４は、案内片２６を経糸供給方向に向かって下がる状態に傾斜してある。
【００３０】
【発明の効果】
請求項１記載の発明は、押圧盤と板部材との間に一枚以上の中間部材を介在することにより、押圧盤と板部材の間に生ずる挟持力を巧みに利用して、板部材と中間部材と押圧盤の間に複数の挟持領域を形成するので、板部材の上下に押圧盤を介在して緯糸を挟持する従来の構造よりも単純でありながら、二本以上の緯糸を保持できる。
【００３１】
また、請求項２記載の発明は、板部材の上下に押圧盤を有すると共に、少なくとも一方の押圧盤と板部材との間に一枚以上の中間部材を介在してあるので、三本以上の緯糸を保持できる。
【００３２】
請求項３記載の発明は、中間部材同士の間に形成する挟持領域にも、緯糸を保持できる。
【００３３】
請求項４記載の発明は、実施例の場合のように織前に対して遠い方の固定式緯入れノズルから連なる緯糸が各挟持領域を通過する長さを測定し、長いものを用いて遠い方の緯糸を保持すれば、通過長さが短いものを用いて保持するよりも、保持状態が安定する。なお、いずれかの固定式緯入れノズルから連なる緯糸端部においても本発明が適用可能である。
【００３４】
請求項５記載の発明は、ガイド板によって中間部材の上下に緯糸を分けて案内するので、中間部材の上下の挟持領域に緯糸を案内し易くなる。
【００３５】
請求項６記載の発明は、中間部材がリング状で、外周に角張った部分がないので、中間部材の上下に緯糸が支障なく導かれ、しかも、外周面が「く」字状に外側に張り出しているので、筬打ち時に緯糸がその傾斜に沿って移動することから、中間部材の上下に緯糸を導き易くなる。
【図面の簡単な説明】
【図１】緯糸保持装置の第一例を示す拡大側面図である。
【図２】仕切板に直交する方向から第一例の挟持領域を視た状態を示す説明図である。
【図３】（イ）（ロ）緯糸保持装置の第一例を示す平面図、側面図である。
【図４】緯糸保持装置の第二例を示す拡大側面図である。
【図５】仕切板に直交する方向から第二例の挟持領域を視た状態を示す説明図である。
【図６】緯糸保持装置の第三例を示す拡大側面図である。
【図７】仕切板に直交する方向から第三例の挟持領域を視た状態を示す説明図である。
【符号の説明】
１  固定式緯入れノズル
３  緯糸保持装置
４  織前
７  板部材
８  緯糸
９  中間部材
１０  押圧盤
１１  挟持領域
１３  ガイド板
【図１】
2004176217.tif 000003
【図２】
2004176217.tif 000004
【図３】
2004176217.tif 000005
【図４】
2004176217.tif 000006
【図５】
2004176217.tif 000007
【図６】
2004176217.tif 000008
【図７】
2004176217.tif 000009